(57)【特許請求の範囲】
【請求項１】
回転するロータと、
前記ロータの軸方向に前記ロータと対向して配置されたプレート部と、
前記プレート部とで前記ロータを収容するカバーと、
前記カバーに形成され、前記ロータの周囲を囲う周囲壁と、
前記カバーに形成されると共に、前記周囲壁の外側に設けられ、前記プレート部と嵌合された嵌合壁と、
前記周囲壁と前記嵌合壁とを連結する連結リブと、
を備えるブラシレスモータ。
【請求項２】
前記周囲壁と前記嵌合壁との間には、空間が形成され、
前記連結リブは、前記周囲壁の周方向に間隔を空けて複数設けられ、
前記空間は、複数の前記連結リブによって複数の空間に分割されている、
請求項１に記載のブラシレスモータ。
【請求項３】
前記連結リブは、前記周囲壁の径方向に延びている、
請求項１又は請求項２に記載のブラシレスモータ。
【請求項４】
前記カバーには、前記周囲壁の径方向外方に位置し、外部から冷却風を取り入れる冷却風取入口が形成され、
前記嵌合壁は、前記カバーの軸方向視で前記周囲壁と前記冷却風取入口との間に開口を有する開放形状であり、
前記嵌合壁の前記開口には、前記カバーに形成され、前記周囲壁の接線方向に延びる整流壁が配置され、
前記周囲壁と前記嵌合壁とは、前記周囲壁の径方向に延びる前記連結リブとしての第一連結リブによって連結され、
前記周囲壁と前記整流壁とは、前記カバーの軸方向視で前記整流壁と直角を成す第二連結リブによって連結されている、
請求項３に記載のブラシレスモータ。
【請求項５】
前記嵌合壁は、前記周囲壁を挟んだ両側に配置された一対の対向壁と、前記一対の対向壁の長さ方向の一端部同士を連結する連結壁とを有し、
前記一対の対向壁は、前記周囲壁と接続されている、
請求項４に記載のブラシレスモータ。
【請求項６】
前記整流壁の長さ方向の両端部は、前記一対の対向壁と接続されている、
請求項５に記載のブラシレスモータ。
【請求項７】
前記カバーには、前記嵌合壁の周囲を囲う外周壁が形成され、
前記一対の対向壁の長さ方向の他端部は、前記外周壁に接続されている、
請求項５又は請求項６に記載のブラシレスモータ。
【請求項８】
前記カバーには、前記嵌合壁の周囲を囲う外周壁が形成され、
前記外周壁と前記整流壁とは、前記カバーの軸方向視で前記整流壁と直角を成し、前記冷却風取入口の側に向けて延びる第三連結リブによって連結されている、
請求項４〜請求項７のいずれか一項に記載のブラシレスモータ。
【発明の詳細な説明】
【技術分野】
【０００１】
本発明は、ブラシレスモータに関する。
【背景技術】
【０００２】
従来、ブラシレスモータとしては、環状のステータと、このステータの径方向外側にステータと対向して配置されたロータマグネットを有するロータと、このロータを収容するカバーとを備えるものがある。
【先行技術文献】
【特許文献】
【０００３】
【特許文献１】特開２０１２−７０６１５号公報
【発明の概要】
【発明が解決しようとする課題】
【０００４】
上記ブラシレスモータのように、ロータがカバーに収容されていると、ロータの磁気音が外部に漏れることを抑制できる。しかしながら、ロータをカバーで覆っても、ロータの振動がカバー内の空気を介してカバーに伝搬し、カバーが振動して騒音が生じる虞がある。
【０００５】
本発明は、上記課題に鑑みてなされたものであって、ブラシレスモータの更なる低騒音化を目的とする。
【課題を解決するための手段】
【０００６】
前記課題を解決するために、請求項１に記載のブラシレスモータは、回転するロータと、前記ロータの軸方向に前記ロータと対向して配置されたプレート部と、前記プレート部とで前記ロータを収容するカバーと、前記カバーに形成され、前記ロータの周囲を囲う周囲壁と、前記カバーに形成されると共に、前記周囲壁の外側に設けられ、前記プレート部と嵌合された嵌合壁と、前記周囲壁と前記嵌合壁とを連結する連結リブと、を備える。
【０００７】
このブラシレスモータによれば、ロータを収容するカバーには、ロータの周囲を囲う周囲壁が形成されている。したがって、ロータの磁気音（共振音）が外部に漏れることを周囲壁によって抑制することができる。
【０００８】
しかも、カバーには、周囲壁の外側に設けられ、プレート部と嵌合された嵌合壁が形成されており、この嵌合壁と上述の周囲壁とは、連結リブによって連結されている。したがって、連結リブによって周囲壁の剛性を高めることができるので、ロータの磁気音によって周囲壁が共鳴したり、周囲壁内の空気が振動したり、周囲壁からの振動伝搬により嵌合壁が振動して発音が生じたりすることを抑制することができる。これにより、例えば、連結リブを用いずにロータの周囲を周囲壁で単に囲う場合に比して、ブラシレスモータの更なる低騒音化を実現することができる。
【０００９】
また、連結リブを介して周囲壁と連結されているのは、プレート部と嵌合されることで剛性が高められた嵌合壁であるので、周囲壁の剛性をより一層効率良く高めることができる。
【００１０】
なお、請求項２に記載のように、請求項１に記載のブラシレスモータにおいて、前記周囲壁と前記嵌合壁との間には、空間が形成され、前記連結リブは、前記周囲壁の周方向に間隔を空けて複数設けられ、前記空間は、複数の前記連結リブによって複数の空間に分割されていても良い。
【００１１】
このブラシレスモータによれば、連結リブは、周囲壁の周方向に間隔を空けて複数設けられており、周囲壁と嵌合壁との間に形成された空間は、複数の連結リブによって複数の空間に分割されている。したがって、空間が一つである場合に比して、複数の空間の一つ当たりの体積が小さくなることにより、各空間の共振周波数を高くすることができる。これにより、各空間の共振周波数と、ロータの共振周波数とを異ならせることができるので、各空間とロータとの共振を抑制して、より一層の低騒音化を図ることができる。
【００１２】
また、請求項３に記載のように、請求項１又は請求項２に記載のブラシレスモータにおいて、前記連結リブは、前記周囲壁の径方向に延びていても良い。
【００１３】
このブラシレスモータによれば、連結リブは、周囲壁の径方向に延びているので、周囲壁の剛性を効果的に高めることができる。これにより、周囲壁や周囲壁内の空気に対する振動抑制効果を高めることができる。
【００１４】
請求項４に記載のように、請求項３に記載のブラシレスモータにおいて、前記カバーには、前記周囲壁の径方向外方に位置し、外部から冷却風を取り入れる冷却風取入口が形成され、前記嵌合壁は、前記カバーの軸方向視で前記周囲壁と前記冷却風取入口との間に開口を有する開放形状であり、前記嵌合壁の前記開口には、前記カバーに形成され、前記周囲壁の接線方向に延びる整流壁が配置され、前記周囲壁と前記嵌合壁とは、前記周囲壁の径方向に延びる前記連結リブとしての第一連結リブによって連結され、前記周囲壁と前記整流壁とは、前記カバーの軸方向視で前記整流壁と直角を成す第二連結リブによって連結されていても良い。
【００１５】
このブラシレスモータによれば、開放形状である嵌合壁の開口には、周囲壁の接線方向に延びる整流壁が配置されており、この整流壁と上述の周囲壁とは、第二連結リブによって連結されている。したがって、第二連結リブによって整流壁の剛性を高めることができるので、整流壁の振動による発音も抑制することができる。
【００１６】
しかも、第二連結リブは、カバーの軸方向視で整流壁と直角を成しているので、整流壁の剛性を効果的に高めることができる。これにより、整流壁に対する振動抑制効果を高めることができる。
【００１７】
請求項５に記載のように、請求項４に記載のブラシレスモータにおいて、前記嵌合壁は、前記周囲壁を挟んだ両側に配置された一対の対向壁と、前記一対の対向壁の長さ方向の一端部同士を連結する連結壁とを有し、前記一対の対向壁は、前記周囲壁と接続されていても良い。
【００１８】
このブラシレスモータによれば、嵌合壁に形成された一対の対向壁は、周囲壁と接続されている。したがって、周囲壁が全周に亘って振動することを抑制することができるので、周囲壁に対する振動抑制効果を高めることができる。
【００１９】
請求項６に記載のように、請求項５に記載のブラシレスモータにおいて、前記整流壁の長さ方向の両端部は、前記一対の対向壁と接続されていても良い。
【００２０】
このブラシレスモータによれば、整流壁の長さ方向の両端部は、一対の対向壁と接続されている。したがって、整流壁によって一対の対向壁の剛性を高めることができるので、一対の対向壁を含む嵌合壁全体の振動をより一層効果的に抑制することができる。
【００２１】
請求項７に記載のように、請求項５又は請求項６に記載のブラシレスモータにおいて、前記カバーには、前記嵌合壁の周囲を囲う外周壁が形成され、前記一対の対向壁の長さ方向の他端部は、前記外周壁に接続されていても良い。
【００２２】
このブラシレスモータによれば、一対の対向壁の長さ方向の他端部は、嵌合壁の周囲を囲う外周壁に接続されている。したがって、例えば、一対の対向壁の長さ方向の他端部が自由端である場合に比して、一対の対向壁の剛性を高めることができるので、このことによっても、一対の対向壁を含む嵌合壁全体の振動をより一層効果的に抑制することができる。
【００２３】
請求項８に記載のように、請求項４〜請求項７のいずれか一項に記載のブラシレスモータにおいて、前記カバーには、前記嵌合壁の周囲を囲う外周壁が形成され、前記外周壁と前記整流壁とは、前記カバーの軸方向視で前記整流壁と直角を成し、前記冷却風取入口の側に向けて延びる第三連結リブによって連結されていても良い。
【００２４】
このブラシレスモータによれば、嵌合壁の周囲を囲う外周壁と、上述の整流壁とは、第三連結リブによって連結されている。したがって、第三連結リブによって整流壁の剛性を高めることができると共に、第二連結リブを介して整流壁と連結された周囲壁の剛性も高めることができる。これにより、周囲壁及び整流壁の振動をより一層効果的に抑制することができる。
【００２５】
しかも、第三連結リブは、カバーの軸方向視で整流壁と直角を成しているので、整流壁の剛性、ひいては、第二連結リブを介して整流壁と連結された周囲壁の剛性を効果的に高めることができる。これにより、整流壁及び周囲壁に対する振動抑制効果を高めることができる。
【００２６】
また、第三連結リブは、カバーの軸方向視で整流壁と直角を成すと共に、冷却風取入口の側に向けて延びるので、冷却風取入口から取り入れられた冷却風の流れに沿って第三連結リブを配置することができる。これにより、冷却風取入口から取り入れられた冷却風の流れが第三連結リブによって阻害されることを抑制することができる。
【図面の簡単な説明】
【００２７】
【図１】本発明の一実施形態に係るブラシレスモータの一部断面を含む正面図である。
【図２】図１に示されるブラシレスモータを軸方向一方側から見た分解斜視図である。
【図３】図１に示されるブラシレスモータを軸方向他方側から見た分解斜視図である。
【図４】図１に示されるカバーをプレート部側から軸方向視した図である。
【図５】比較例に係るカバーを図４と同様の方向から見た図である。
【発明を実施するための形態】
【００２８】
以下、本発明の一実施形態について説明する。
【００２９】
図１に示されるように、本発明の一実施形態に係るブラシレスモータ１０は、モータシャフト１２と、ステータ２０と、ロータ３０と、ベアリングホルダ４０と、センターピース５０と、回路基板６０と、回路ケース７０と、カバー８０とを備える（図２、図３も適宜参照）。図１〜図３において、矢印Ａ１は、ブラシレスモータ１０の軸方向一方側を示し、矢印Ａ２は、ブラシレスモータ１０の軸方向他方側を示している。
【００３０】
ステータ２０は、ステータコア２１と、インシュレータ２２と、複数の巻線２３とを有する。ステータコア２１は、放射状に延びる複数のティース部２４を有する。インシュレータ２２は、ステータコア２１の表面に装着されており、巻線２３は、インシュレータ２２を介して各ティース部２４に巻回されている。ステータコア２１を含むステータ２０の全体は、モータシャフト１２の軸方向回りに環状を成しており、ステータコア２１の内周部の周方向における適宜箇所には、防振ゴム２５が取り付けられている。このステータ２０は、その周方向に回転磁界を形成する。
【００３１】
ロータ３０は、ロータハウジング３１及びロータマグネット３２を有する。ロータハウジング３１は、周壁部３３及び天壁部３４を有する有天円筒状に形成されており、ステータ２０を収容している。天壁部３４の中央部に形成された筒状部３５の内側には、モータシャフト１２が圧入されており、これにより、ロータハウジング３１は、モータシャフト１２に一体回転可能に固定されている。ロータマグネット３２は、周壁部３３の内周面に固着されており、ステータ２０の径方向外側にステータ２０と対向して配置されている。
【００３２】
ベアリングホルダ４０は、ホルダ部４１及び円筒部４２を有する。ホルダ部４１は、円筒部４２よりも大径の円環状に形成されており、円筒部４２の軸方向一方側に位置する。ホルダ部４１の内側には、ボールベアリングである第一ベアリング４５が圧入されている。第一ベアリング４５の内輪の内側には、モータシャフト１２が圧入されており、円筒部４２の内側には、モータシャフト１２が挿通されている。
【００３３】
センターピース５０は、プレート部５１及び軸部５２を有する。プレート部５１は、モータシャフト１２の軸方向を板厚方向とする概略平板状に形成されている。このプレート部５１は、ロータ３０の軸方向他方側にロータ３０と対向して配置されており、有天円筒状に形成されたロータハウジング３１の開口を覆っている。軸部５２は、プレート部５１の中心部からステータ２０の側に突出しており、ステータ２０の内側に挿入されている。この軸部５２は、概略円筒状に形成されている。軸部５２の内側には、上述のベアリングホルダ４０の円筒部４２が圧入されており、これにより、ベアリングホルダ４０は、センターピース５０に固定されている。
【００３４】
また、軸部５２には、ステータ２０の軸方向他方側に位置する台座部５３が形成されている。ホルダ部４１と台座部５３は、ステータ２０の軸方向の両側から防振ゴム２５を挟持しており、これにより、ステータ２０は、防振ゴム２５を介してセンターピース５０に保持されている。プレート部５１の中央部における軸部５２と反対側には、軸部５２が突出する側と反対側に開口する凹状の収容部５４が形成されている。
【００３５】
収容部５４の内側には、ボールベアリングである第二ベアリング５５が圧入されている。この第二ベアリング５５の内輪の内側には、モータシャフト１２が圧入されている。第二ベアリング５５と、上述の第一ベアリング４５によって、モータシャフト１２は、ベアリングホルダ４０及びセンターピース５０に回転可能に支持されている。
【００３６】
回路基板６０は、ステータ２０を駆動させるものであり、プレート部５１に対するロータ３０と反対側に配置されている。この回路基板６０には、複数の電子部品が実装されている。この複数の電子部品には、例えば、複数の巻線２３と電気的に接続されて複数の巻線２３に流れる電流の向きを切り替えるスイッチング素子や、このスイッチング素子の切替動作を制御する制御素子等が含まれる。
【００３７】
複数の巻線２３に流れる電流の向きが切り替えられると、ステータ２０によって回転磁界が形成される。また、この回転磁界に応じてロータマグネット３２に吸引及び反発力が作用し、これにより、ロータ３０がモータシャフト１２と共に回転する。
【００３８】
回路ケース７０は、プレート部５１に対するロータ３０と反対側に配置されており、プレート部５１に組み付けられている。回路ケース７０は、プレート部５１側に開口する概略凹形に形成されており、プレート部５１とで回路基板６０を収容している。
【００３９】
カバー８０は、プレート部５１に対する回路ケース７０と反対側に配置されており、プレート部５１及び回路ケース７０と組み付けられている。このカバー８０は、プレート部５１側に開口する概略凹形に形成されており、プレート部５１とでロータ３０を収容している。
【００４０】
カバー８０及び回路ケース７０には、ブラシレスモータ１０の径方向に延びるダクト形成部７１、８１がそれぞれ形成されており、この一対のダクト形成部７１、８１により筒状のダクト８２が形成されている。カバー８０に形成されたダクト形成部８１は、より具体的には、概略凹形に形成されたカバー８０の開口側の端部からカバー８０の径方向外側に延びている。カバー８０に形成されたダクト形成部８１の先端部には、外部から冷却風を取り入れる冷却風取入口８３が形成されている。冷却風取入口８３から取り入れられた冷却風は、ダクト８２の内側を通じて回路ケース７０の内側やロータハウジング３１の内側に供給される。
【００４１】
カバー８０は、樹脂製であり、以下に詳述するように、複数の壁やリブ等を有して構成されている。図４は、図１に示されるカバー８０をプレート部５１側から軸方向視した図である。この図４に示されるように、カバー８０には、天井壁９１、周囲壁９２、嵌合壁９３、整流壁９４、外周壁９５、第一連結リブ１０１、第二連結リブ１０２、及び、第三連結リブ１０３が形成されている。
【００４２】
上述のブラシレスモータ１０の軸方向をカバー８０の軸方向と同じとした場合に、天井壁９１は、カバー８０の軸方向と交差する方向に広がっている。また、周囲壁９２、嵌合壁９３、整流壁９４、外周壁９５、複数の第一連結リブ１０１、複数の第二連結リブ１０２、及び、複数の第三連結リブ１０３は、いずれもカバー８０の軸方向を高さ方向して形成されている。この周囲壁９２、嵌合壁９３、整流壁９４、外周壁９５、複数の第一連結リブ１０１、複数の第二連結リブ１０２、及び、複数の第三連結リブ１０３は、いずれも天壁部３４から図１に示されるプレート部５１の側に向けて立設されている。
【００４３】
周囲壁９２は、円環状に形成されており、上述のロータ３０（図１参照）の周囲を囲っている。嵌合壁９３は、周囲壁９２の外側に設けられている。図２に示されるように、プレート部５１の外周部には、この外周部に沿って二重の壁５６が形成されており、図４に示される嵌合壁９３は、図２に示される二重の壁５６の間に嵌合される。
【００４４】
図４に示されるように、嵌合壁９３は、カバー８０の軸方向視で周囲壁９２と冷却風取入口８３との間に開口９３Ａを有する開放形状とされている。つまり、この嵌合壁９３は、周囲壁９２を挟んだ両側に配置された一対の対向壁９６と、一対の対向壁９６の長さ方向の一端部同士を連結する連結壁９７とを有している。
【００４５】
連結壁９７は、周囲壁９２の径方向外方に位置する冷却風取入口８３の側と反対側に位置している。一対の対向壁９６は、互いに平行であり、周囲壁９２の接線方向にそれぞれ延びている。一対の対向壁９６の長さ方向の中央部は、周囲壁９２と接続されており、この周囲壁９２と一体化されている。また、一対の対向壁９６の長さ方向の他端部は、後述する外周壁９５に接続されている。この嵌合壁９３は、周囲壁９２よりも高さが高く形成されている。
【００４６】
整流壁９４は、冷却風取入口８３の側に向けて開口する嵌合壁９３の開口９３Ａに配置されている。整流壁９４は、連結壁９７と平行であり、周囲壁９２の接線方向に延びている。この整流壁９４は、カバー８０の軸方向視で周囲壁９２と冷却風取入口８３との間に位置している。整流壁９４は、冷却風取入口８３を通じて外部から取り入れられた冷却風を図１に示される回路ケース７０内の基板収容空間に向けて整流する機能を有する。整流壁９４の長さ方向の両端部は、一対の対向壁９６と接続されている。なお、図１に示されるように、この整流壁９４も、上述の嵌合壁９３と同様に、プレート部５１の外周部に形成された二重の壁５６の間に嵌合されている。
【００４７】
外周壁９５は、カバー８０の外周部に形成されており、円環状を成している。この外周壁９５は、周囲壁９２と同心円状に形成されており、嵌合壁９３の周囲を囲っている。整流壁９４の高さは、周囲壁９２の高さと同じか、又は、周囲壁９２の高さよりも高くなっている。
【００４８】
複数の第一連結リブ１０１のそれぞれは、本発明における「連結リブ」の一例である。この複数の第一連結リブ１０１は、周囲壁９２と嵌合壁９３との接続部よりも連結壁９７側に位置している。この複数の第一連結リブ１０１は、周囲壁９２の径方向に延びており、周囲壁９２と嵌合壁９３とを連結している。複数の第一連結リブ１０１は、周囲壁９２の周方向に間隔を空けて設けられており、周囲壁９２と嵌合壁９３との間に形成された空間９８は、複数の第一連結リブ１０１によって複数の空間９８Ａに分割されている。複数の第一連結リブ１０１の高さは、周囲壁９２の高さと同等となっている。
【００４９】
複数の第二連結リブ１０２は、整流壁９４から周囲壁９２の側に向けて延びている。この複数の第二連結リブ１０２は、カバー８０の軸方向視で整流壁９４と直角を成しており、周囲壁９２と整流壁９４とを連結している。複数の第三連結リブ１０３は、整流壁９４から冷却風取入口８３の側に向けて延びている。この複数の第三連結リブ１０３は、カバー８０の軸方向視で整流壁９４と直角を成しており、外周壁９５と整流壁９４とを連結している。第二連結リブ１０２及び第三連結リブ１０３の高さは、整流壁９４の高さと同等となっている。
【００５０】
次に、本発明の一実施形態の作用及び効果について説明する。
【００５１】
先ず、本発明の一実施形態に係る作用及び効果を明確にするために、比較例について説明する。図５は、比較例に係るカバーを図４と同様の方向から見た図である。図５に示される比較例に係るカバー１８０は、上述の本発明の一実施形態に係るカバー８０に対し、複数の第一連結リブ１０１、複数の第二連結リブ１０２、及び、複数の第三連結リブ１０３が省かれている。
【００５２】
この比較例に係るカバー１８０によれば、ロータ３０（図３等参照）の周囲を囲う周囲壁９２が形成されているので、ロータ３０の磁気音（共振音）が外部に漏れることを周囲壁９２によって抑制することができる。
【００５３】
しかしながら、この比較例に係るカバー１８０では、ロータ３０の磁気音によって周囲壁９２が共鳴したり、周囲壁９２内の空気振動が嵌合壁９３へ伝搬して嵌合壁９３が振動し発音が生じたりする虞がある。また、周囲壁９２内の空気振動が嵌合壁９３とプレート部５１（図２等参照）との間の隙間を通じて外部に漏れて発音が生じる虞もある。したがって、更なる低騒音化が望まれる。
【００５４】
これに対し、図４に示される本発明の一実施形態に係るカバー８０によれば、周囲壁９２と、その外側に設けられた嵌合壁９３とは、第一連結リブ１０１によって連結されている。したがって、第一連結リブ１０１によって周囲壁９２の剛性を高めることができるので、図３等に示されるロータ３０の磁気音によって周囲壁９２が共鳴したり、周囲壁９２内の空気が振動したり、周囲壁９２からの振動伝搬により嵌合壁９３が振動して発音が生じたりすることを抑制することができる。これにより、例えば、上述の比較例のように、連結リブを用いずにロータ３０の周囲を周囲壁９２で単に囲う場合に比して、更なる低騒音化を実現することができる。
【００５５】
しかも、第一連結リブ１０１は、周囲壁９２の周方向に間隔を空けて複数設けられており、周囲壁９２と嵌合壁９３との間に形成された空間９８は、複数の第一連結リブ１０１によって複数の空間９８Ａに分割されている。したがって、空間９８が一つである場合に比して、複数の空間９８Ａの一つ当たりの体積が小さくなることにより、各空間９８Ａの共振周波数を高くすることができる。これにより、各空間９８Ａの共振周波数と、ロータ３０の共振周波数とを異ならせることができるので、各空間９８Ａとロータ３０との共振を抑制して、より一層の低騒音化を図ることができる。
【００５６】
また、第一連結リブ１０１を介して周囲壁９２と連結されているのは、プレート部５１と嵌合されることで剛性が高められた嵌合壁９３であるので、周囲壁９２の剛性をより一層効率良く高めることができる。
【００５７】
また、第一連結リブ１０１は、周囲壁９２の径方向に延びているので、周囲壁９２の剛性を効果的に高めることができる。これにより、周囲壁９２や周囲壁９２内の空気に対する振動抑制効果を高めることができる。
【００５８】
また、開放形状である嵌合壁９３の開口９３Ａには、周囲壁９２の接線方向に延びる整流壁９４が配置されており、この整流壁９４と上述の周囲壁９２とは、第二連結リブ１０２によって連結されている。したがって、第二連結リブ１０２によって整流壁９４の剛性を高めることができるので、整流壁９４の振動による発音も抑制することができる。
【００５９】
しかも、第二連結リブ１０２は、カバー８０の軸方向視で整流壁９４と直角を成しているので、整流壁９４の剛性を効果的に高めることができる。これにより、整流壁９４に対する振動抑制効果を高めることができる。
【００６０】
また、嵌合壁９３に形成された一対の対向壁９６は、周囲壁９２と接続されている。したがって、周囲壁９２が全周に亘って振動することを抑制することができるので、周囲壁９２に対する振動抑制効果を高めることができる。
【００６１】
また、整流壁９４の長さ方向の両端部は、一対の対向壁９６と接続されている。したがって、整流壁９４によって一対の対向壁９６の剛性を高めることができるので、一対の対向壁９６を含む嵌合壁９３全体の振動をより一層効果的に抑制することができる。
【００６２】
また、一対の対向壁９６の長さ方向の他端部は、嵌合壁９３の周囲を囲う外周壁９５に接続されている。したがって、例えば、一対の対向壁９６の長さ方向の他端部が自由端である場合に比して、一対の対向壁９６の剛性を高めることができるので、このことによっても、一対の対向壁９６を含む嵌合壁９３全体の振動をより一層効果的に抑制することができる。
【００６３】
また、嵌合壁９３の周囲を囲う外周壁９５と、上述の整流壁９４とは、第三連結リブ１０３によって連結されている。したがって、第三連結リブ１０３によって整流壁９４の剛性を高めることができると共に、第二連結リブ１０２を介して整流壁９４と連結された周囲壁９２の剛性も高めることができる。これにより、周囲壁９２及び整流壁９４の振動をより一層効果的に抑制することができる。
【００６４】
しかも、第三連結リブ１０３は、カバー８０の軸方向視で整流壁９４と直角を成しているので、整流壁９４の剛性、ひいては、第二連結リブ１０２を介して整流壁９４と連結された周囲壁９２の剛性を効果的に高めることができる。これにより、整流壁９４及び周囲壁９２に対する振動抑制効果を高めることができる。
【００６５】
また、第三連結リブ１０３は、カバー８０の軸方向視で整流壁９４と直角を成すと共に、冷却風取入口８３の側に向けて延びるので、冷却風取入口８３から取り入れられた冷却風の流れに沿って第三連結リブ１０３を配置することができる。これにより、冷却風取入口８３から取り入れられた冷却風の流れが第三連結リブ１０３によって阻害されることを抑制することができる。
【００６６】
次に、本発明の一実施形態の変形例について説明する。
【００６７】
上記実施形態において、第一連結リブ１０１は、好ましくは、周囲壁９２の周方向に間隔を空けて複数設けられるが、一つでも良い。
【００６８】
また、上記実施形態において、第一連結リブ１０１は、好ましくは、周囲壁９２の径方向に延びるが、周囲壁９２の径方向に延びていなくても良い。
【００６９】
また、上記実施形態において、第二連結リブ１０２及び第三連結リブ１０３は、好ましくは、カバー８０の軸方向視で整流壁９４と直角を成すが、カバー８０の軸方向視で整流壁９４と直角を成していなくても良い。
【００７０】
また、上記実施形態において、嵌合壁９３は、開放形状とされているが、周囲壁９２を囲う環状に形成されていても良い。
【００７１】
また、上記実施形態において、整流壁９４の長さ方向の両端部は、好ましくは、一対の対向壁９６と接続されるが、一対の対向壁９６と接続されていなくても良い。
【００７２】
また、上記実施形態において、一対の対向壁９６の長さ方向の他端部は、好ましくは、外周壁９５に接続されるが、外周壁９５に接続されていなくても良い。
【００７３】
また、上記実施形態において、好ましくは、第二連結リブ１０２及び第三連結リブ１０３が用いられるが、例えば、周囲壁９２、整流壁９４、及び、嵌合壁９３等の振動を抑制できる場合には、第二連結リブ１０２及び第三連結リブ１０３が省かれても良い。
【００７４】
以上、本発明の一実施形態について説明したが、本発明は、上記に限定されるものでなく、上記以外にも、その主旨を逸脱しない範囲内において種々変形して実施可能であることは勿論である。
【符号の説明】
【００７５】
１０…ブラシレスモータ、１２…モータシャフト、２０…ステータ、２１…ステータコア、２２…インシュレータ、２３…巻線、２４…ティース部、２５…防振ゴム、３０…ロータ、３１…ロータハウジング、３２…ロータマグネット、３３…周壁部、３４…天壁部、３５…筒状部、４０…ベアリングホルダ、４１…ホルダ部、４２…円筒部、４５…第一ベアリング、５０…センターピース、５１…プレート部、５２…軸部、５３…台座部、５４…収容部、５５…第二ベアリング、５６…二重の壁、６０…回路基板、７０…回路ケース、７１…ダクト形成部、８０…カバー、８１…ダクト形成部、８２…ダクト、８３…冷却風取入口、９１…天井壁、９２…周囲壁、９３…嵌合壁、９３Ａ…開口、９４…整流壁、９５…外周壁、９６…対向壁、９７…連結壁、９８…空間、９８Ａ…複数の空間、１０１…第一連結リブ（連結リブの一例）、１０２…第二連結リブ、１０３…第三連結リブ
【図１】
0006623909.tif 000002
【図２】
0006623909.tif 000003
【図３】
0006623909.tif 000004
【図４】
0006623909.tif 000005
【図５】
0006623909.tif 000006